(57)【要約】【課題】固定弁体以下の部材の設計変更が不要で、操作レバーが正面位置にある状態で水のみが吐出可能であり、湯の無駄使いを防止することのできる湯水混合栓を提供する。【解決手段】湯水混合栓１は、湯流入弁孔、水流入弁孔及び混合水流出孔２４が開設された固定弁体１７と、固定弁体１７に摺動自在に重合配置され、湯流入弁孔からの湯と水流入弁孔からの水とが流入する開口部５が形成された可動弁体６と、可動弁体６を操作するレバーハンドル７と、を有し、レバーハンドル７の上下回動で湯水吐出量が調節可能であり、レバーハンドル７の左右回動で湯水の温度調節が可能である。湯流入弁孔及び水流入弁孔は固定弁体１７に左右対称に形成され、レバーハンドル７が固定弁体１７の湯流入弁孔と水流入弁孔との中間に位置する状態で、レバーハンドル７を開操作したとき、可動弁体６の開口部５が固定弁体１７の水流入弁孔のみに連通する。【選択図】図１
2015061986.tif 000002
【特許請求の範囲】
【請求項１】
湯流入弁孔、水流入弁孔、流出孔が開設された固定弁体と、前記固定弁体に摺動自在に重合配置され、前記湯流入弁孔からの湯と前記水流入弁孔からの水とが流入する開口部が形成された可動弁体と、前記可動弁体を操作するレバーハンドルと、を有し、
前記固定弁体と前記可動弁体とは所定の摺動平面にて摺動し、前記摺動平面に対し垂直な第一平面上で前記レバーハンドルを回動させることにより、前記開口部からの湯水吐出量が調整可能であり、前記摺動平面と平行な第二平面上で前記レバーハンドルを回動させることにより、前記開口部から吐出する湯水の温度が調節可能であり、
前記レバーハンドルが正面位置にある状態で前記レバーハンドルを開操作した時において、前記水流入弁孔と前記流出孔とを連通させながら、前記湯流入弁孔を閉塞する閉塞部が前記可動弁体に形成されており、
前記閉塞部は、前記開口部の前方壁面と連続形成される第１の壁面と、前記第１の壁面と曲がり部を介して形成される第２の壁面と、を有するとともに、前記レバーハンドルが正面位置にある状態で前記レバーハンドルを開操作した時において、前記第１の壁面が平面視で前記湯流入弁孔の中央側の端部と所定の距離を離して配置されることを特徴とする湯水混合水栓。
【発明の詳細な説明】
【技術分野】
【０００１】
本発明は、キッチンの流し台、浴室あるいは洗面台などに配置される湯水混合栓に関し、特に、ハンドルの上下回動操作、左右回動操作によって湯水の吐出量調節、温度調節を行うことのできる湯水混合栓に関する。
【背景技術】
【０００２】
従来のシングルレバー式の湯水混合栓として、例えば、図７に示すようなものが知られている。この湯水混合栓７０は、設置面（図示せず）に固定された本体部７６に吐水管７２が左右回動可能に取り付けられ、本体部７６の上端にレバーハンドル７１が左右回動可能及び上下回動可能に取り付けられ、本体部７６の底面に給水管７４及び給湯管７５が接続されている。レバーハンドル７１を上下回動操作することにより吐水管７２の吐水口７３からの湯水吐出量の調節を行い、レバーハンドル７１を左右回動操作することにより吐水口７３から吐出する湯水の温度調節を行うことができる。
【０００３】
具体的には、図８に示すように、レバーハンドル７１が正面位置Ｃを中心に左右それぞれ約４０度の回動範囲（混合領域Ｍ）にあるときは吐水口７３から湯水混合水が吐出し、混合領域Ｍよりも左側の回動範囲（湯領域Ｈ）にレバーハンドル７１が位置するときは吐水口７３から湯が吐出し、混合領域Ｍよりも右側の回動範囲（水領域Ｗ）にレバーハンドル７１が位置するときは吐水口７３から水が吐出する。
【０００４】
湯水混合栓７０の本体部７６内には図９に示すような開閉弁ユニット８０が収納されている。開閉弁ユニット８０は、図１０に示すように、スペーサ１０、ハウジング１１、パッキン１２、操作レバー１３、レバーガイド１４、支持部材１５、可動弁体１６、固定弁体１７、パッキン１８、Ｏリング１９、底蓋２０及びパッキン２１などによって形成されている。
【０００５】
図１１に示すように、固定弁体１７には水流入弁孔２２、湯流入弁孔２３及び混合水流出孔２４が左右対称に開設され、可動弁体１６には、固定弁体１７の水流入弁孔２２、湯流入弁孔２３から流入する湯水を混合水流出孔２４へ流出させるための開口部２５が開設されている。開閉弁ユニット８０内において、可動弁体１６は固定弁体１７上面に摺動自在に重合配置されている。図７に示すレバーハンドル７１を上下回動操作、左右回動操作すると操作レバー１３が前後傾動、左右回動し、操作レバー１３下端に連結された支持部材１５を介して可動弁体１６が前後摺動、左右回動する。これにより、固定弁体１７の水流入弁孔２２、湯流入弁孔２３の開閉及び開度調節が行われる。
【０００６】
ここで、図８及び図１２に基づいて、可動弁体１６と固定弁体１７とで構成される開閉機構２６について説明する。図１２は開閉機構２６を示す平面図である。
【０００７】
図１２（ａ）はレバーハンドル７１（図７参照）が下方回動した状態で左方回動した位置（左位置Ｌ）にあるときの開閉機構２６を示し、図１２（ｂ）はレバーハンドル７１が下方回動した状態で正面位置Ｃにあるときの開閉機構２６を示し、図１２（ｃ）はレバーハンドル７１が下方回動した状態で右方回動した位置（右位置Ｒ）にあるときの開閉機構２６を示している。レバーハンドル７１が下方回動した状態にあるときに、レバーハンドル７１を左右回動させると、図１２（ａ）〜（ｃ）に示すように、固定弁体１７の混合水流出孔２４と可動弁体１６の開口部２５との連通は維持されるが、固定弁体１７の水流入弁孔２２及び湯流入弁孔２３は可動弁体１６によって閉塞された状態に保たれるため、吐水口７３（図７参照）から湯水が吐出することはない。
【０００８】
一方、図１２（ｄ）はレバーハンドル７１（図７参照）が上方回動した状態で左方回動した位置（左位置Ｌ）にあるときの開閉機構２６を示し、図１２（ｅ）はレバーハンドル７１が上方回動した状態で正面位置Ｃにあるときの開閉機構２６を示し、図１２（ｆ）はレバーハンドル７１が上方回動した状態で右方回動した位置（右位置Ｒ）にあるときの開閉機構２６を示している。図１２（ｄ）に示す状態では、湯流入弁孔２３と開口部２５と混合水流出孔２４とが連通するので吐水口７３（図７参照）から湯が吐出し、図１２（ｅ）に示す状態では、水流入弁孔２２及び湯流入弁孔２３と開口部２５と混合水流出孔２４とが連通するので吐水口７３（図７参照）から湯水混合水が吐出し、図１２（ｆ）に示す状態では、水流入弁孔２２と開口部２５と混合水流出孔２４とが連通するので吐水口７３（図７参照）から水が吐出する。
【０００９】
図７に示す湯水混合栓７０において、正面位置Ｃ（図８参照）にあるレバーハンドル７１を無意識に開放操作すると、図１１に示す開閉機構２６は、通常、図１２（ｂ）の閉止状態から図１２（ｅ）の開放状態へ変化するので、吐水口７３から湯水が混合された状態で吐出される。このため、使用者が水のみを必要とするときでも、実際は吐水口７３から湯水混合水が吐出されており、湯の無駄使いが生じ、給湯エネルギの浪費となっている。
また、使用者が、吐水される湯水の温度を気にせずに、湯水混合栓７０を使用する時、つまり、まずは吐水を開始しようとした時に、正面位置Ｃに係らず、レバーハンドルの左右回動範囲において、吐水口７３から湯水混合水が吐出する確率が大きくなっており、節湯の観点からも、湯の無駄使いが生じ、給湯エネルギの浪費となっている。
【００１０】
そこで、正面位置にあるレバーハンドルを開放操作したときには水のみが吐出する機能を有するシングルレバー式湯水混合栓が提案されている（例えば、特許文献１参照。）。特許文献１記載のシングルレバー式湯水混合栓は、可動弁体の開口部形状は、従来のままの形状で、固定弁体の開口部形状を極端に非対称とすることにより、レバーハンドルが正面位置にあるときは、固定弁座の水流入弁孔のみが可動弁体の開口部によって形成された流路を通り、固定弁体の混合水流出孔と連通される構成である。
【先行技術文献】
【特許文献】
【００１１】
【特許文献１】特開平９−４７３６号公報
【発明の概要】
【発明が解決しようとする課題】
【００１２】
特許文献１記載の先行技術の構造においては、固定弁体の２つの流入弁孔の開口比率が極端に異なることに起因する水圧差の影響によって弁体が傾いて止水性が損なわれたり、偏荷重が掛かることによって耐久性（繰返し摺動により動きが悪くなる）が損なわれたりするおそれがある。
【００１３】
本発明が解決しようとする課題は、固定弁体の２つの流入弁孔の開口比率が極端に異なることに起因する水圧差の影響による止水性や耐久性が損なわれることを防止するとともに、レバーハンドルが正面位置にある状態で水のみが吐出可能であり、湯の無駄使いを防止することのできる湯水混合栓を提供することにある。また、正面位置に係らず、レバーハンドルの正面位置に対して所定の左右回動範囲において、水のみが吐出される構成とすることにより、湯水混合水が吐出される確率が小さくなっており、湯の無駄使いを防止できる湯水混合水栓を提供することにある。
【課題を解決するための手段】
【００１４】
本発明の参考例の湯水混合栓は、湯流入弁孔、水流入弁孔、流出孔が開設された固定弁体と、前記固定弁体に摺動自在に重合配置され、前記湯流入弁孔からの湯と前記水流入弁孔からの水とが流入する開口部が形成された可動弁体と、前記可動弁体を操作するレバーハンドルと、を有し、
前記固定弁体と前記可動弁体とは所定の摺動平面にて摺動し、前記摺動平面に対し垂直な第一平面上で前記レバーハンドルを回動させることにより、前記開口部からの湯水吐出量が調整可能であり、
前記摺動平面と平行な第二平面上で前記レバーハンドルを回動させることにより、前記開口部から吐出する湯水の温度が調節可能であり、前記レバーハンドルが正面位置にある状態で前記レバーハンドルを開操作した時において、前記水流入弁孔と前記流出孔とを連通させながら、前記湯流入弁孔を閉塞する閉塞部が前記可動弁体に形成されており、
前記閉塞部は、前記開口部の前方壁面と連続形成される第１の壁面と、前記第１の壁面と曲がり部を介して形成される第２の壁面と、を有するとともに、前記レバーハンドルが正面位置にある状態で前記レバーハンドルを開操作した時において、前記第１の壁面が平面視で前記湯流入弁孔の中央側の端部と所定の距離を離して配置されることを特徴とする。
【００１５】
このような構成とすれば、固定弁体に形成された湯流入弁孔、水流入弁孔の位置関係を変更することなく、可動弁体に形成された開口部の位置や開口形状を調整することにより、レバーハンドルが固定弁板の湯流入弁孔と水流入弁孔との中間に位置する状態（例えば、レバーハンドルが正面に位置する状態）で当該レバーハンドルを上下回動したとき、湯流入弁孔を閉塞したまま、水流入弁孔のみを開閉させることが可能となる。従って、正面に位置するレバーハンドルを使用者が無意識に開放操作しても、湯が混入することなく、水のみが吐出されるため、湯の無駄使いを防止することができる。
【００１６】
このような構成とすれば、レバーハンドルの全回動範囲のいずれかの位置において、使用者が無意識に第一平面上でレバーハンドルを回動、つまり開放操作した時に、湯が混入され吐出される確率が小さく、水のみが吐出される確率が大きくなるため、使用者が意図しない湯の無駄使いを防止することができる。
【発明の効果】
【００１７】
本発明により、固定弁体の２つの流入弁孔の開口比率が極端に異なることに起因する水圧差の影響による止水性や耐久性が損なわれることを防止するとともに、レバーハンドルが正面位置にある状態で水のみが吐出可能であり、湯の無駄使いを防止することのできる湯水混合栓を提供することができる。また、正面位置に係らず、レバーハンドルの正面位置に対して所定の左右回動範囲において、水のみが吐出される構成とすることにより、使用者が無意識に開放操作した時に、湯が混入され吐出される確率が小さく、水のみが吐出される確率が大きくなるため、使用者が意図しない湯の無駄使いを防止できる湯水混合水栓を提供することにある。
【図面の簡単な説明】
【００１８】
【図１】本発明の参考例に係る第一実施形態である湯水混合栓を示す垂直断面図である。
【図２】図１に示す湯水混合栓の一部省略平面図である。
【図３】図１に示す湯水混合栓を構成する開閉弁ユニットの垂直断面図である。
【図４】図３に示す開閉弁ユニットの分解斜視図である。
【図５】図４に示す可動弁体と固定弁体の拡大斜視図である。
【図６】図５に示す可動弁体と固定弁体とによる開閉機構を示す模式図である。
【図７】従来の湯水混合栓を示す斜視図である。
【図８】図７に示す湯水混合栓の一部省略平面図である。
【図９】図７に示す湯水混合栓を構成する開閉弁ユニットの左側面図である。
【図１０】図９に示す開閉弁ユニットの分解斜視図である。
【図１１】図９に示す可動弁体と固定弁体の拡大斜視図である。
【図１２】図１１に示す可動弁体と固定弁体とで構成される開閉機構を模式的に示す平面図である。
【図１３】本発明の参考例に係る第二実施形態を示す可動弁体と固定弁体とによる開閉機構を示す模式図である。
【図１４】本発明の一実施形態である第三実施形態を示す可動弁体と固定弁体とによる開閉機構を示す模式図である。
【図１５】本発明の参考例に係る第四実施形態を示す可動弁体と固定弁体とによる開閉機構を示す模式図である。
【図１６】本発明の参考例に係る第一実施形態における、開口重合部及び、開口面積を示す説明図である。
【図１７】本発明のレバーハンドルの回動方向である第一平面及び第二平面を示す説明図である。
【発明を実施するための形態】
【００１９】
以下、図１〜図６に基づいて本発明の実施の形態について説明する。
【００２０】
図１に示すように、本発明の参考例に係る第一実施形態の湯水混合栓１は、設置面Ｓに固定された本体部８に吐水管２が左右回動可能に取り付けられ、本体部８の上端にレバーハンドル７が左右回動可能及び上下回動可能に取り付けられ、本体部８の底面に給水管４及び給湯管（図示せず）が接続されている。レバーハンドル７を上下回動操作することにより吐水管２の吐水口３からの湯水吐出量の調節を行い、レバーハンドル７を左右回動操作することにより吐水口３から吐出する湯水の温度調節を行う。
【００２１】
図２に示すように、レバーハンドル７が正面位置Ｃを中心に右方へ約５０度及び左方へ約１０度の回動範囲（水領域Ｗ）にあるときは吐水口３から水が吐出し、水領域Ｗより左方へ約３０度の回動範囲（混合領域Ｍ）にレバーハンドル７が位置するときは吐水口３から湯水混合水が吐出し、混合領域Ｍより左方へ約１０度の回動範囲（湯領域Ｈ）にレバーハンドル７が位置するときは吐水口３から湯が吐出する。なお、前述した水領域Ｗ、混合領域Ｍ及び湯領域Ｈを示す各角度は一例であり、これら数値に限定するものではない。また、本実施形態では、正面位置Ｃから右方及び左方へのレバーハンドル７の回動範囲は同じであるが、これも一例であり、レバーハンドル７が正面位置Ｃにある状態で開操作したとき吐水口３から水のみが吐出すればよいので、正面位置Ｃから右方及び左方へのレバーハンドル７の回動範囲が同じである必要はない。
【００２２】
湯水混合栓１の本体部８内には図３に示すような開閉弁ユニット９が収納されている。図３（ａ）は開閉弁ユニット９が閉止状態にあるときを示し、図３（ｂ）は開閉弁ユニット９が開放状態にあるときを示している。レバーハンドル７（図１参照）を上下回動させると、図３（ａ），（ｂ）に示すように、開閉弁ユニット９の操作レバー１３が前後傾動し、操作レバー１３下端に連結された支持部材１５を介して可動弁体６が固定弁体１７上面の摺動平面に沿って前後摺動する。これにより、固定弁体１７の水流入弁孔２２、湯流入弁孔２３の開閉が行われる。
【００２３】
開閉弁ユニット９は、図４に示すように、スペーサ１０、ハウジング１１、パッキン１２、操作レバー１３、レバーガイド１４、支持部材１５、可動弁体６、固定弁体１７、パッキン１８、Ｏリング１９、底蓋２０及びパッキン２１などによって形成されている。開閉弁ユニット９を構成する部材は、可動弁体６を除いて、図１０に示す従来の開閉弁ユニット８０と同じである。
【００２４】
図５に示すように、固定弁体１７には水流入弁孔２２、湯流入弁孔２３及び混合水流出孔２４が左右対称に開設され、可動弁体６には、固定弁体１７の水流入弁孔２２、湯流入弁孔２３から流入する湯水を混合水流出孔２４へ流出させるための開口部５が開設されている。開口部５の平面視形状は略く字状をなしている。図３に示すように、開閉弁ユニット９内において、可動弁体６は固定弁体１７上面に摺動自在に重合配置され、これらの部材によって開閉機構３０が形成されている。前述したように、図１に示すレバーハンドル７を上下回動操作、左右回動操作すると操作レバー１３が前後傾動、左右回動し、操作レバー１３下端に連結された支持部材１５を介して可動弁体６が前後摺動、左右回動する。これにより、固定弁体１７の水流入弁孔２２、湯流入弁孔２３の開閉及び開度調節が行われる。
【００２５】
ここで、図２，図６に基づいて開閉機構３０の機能、作用効果などについて説明する。図６（ａ）は、固定弁体１７上面の摺動平面に対して垂直な第一平面上でレバーハンドル７（図１参照）が下方回動した状態で左方回動した位置（左位置Ｌ）にあるときの開閉機構３０を示し、図６（ｂ）は、固定弁体１７上面の摺動平面に対して垂直な第一平面上でレバーハンドル７が下方回動した状態で正面位置Ｃにあるときの開閉機構３０を示し、図６（ｃ）は、固定弁体１７上面の摺動平面に対して垂直な第一平面上でレバーハンドル７が下方回動した状態で右方回動した位置（右位置Ｒ）にあるときの開閉機構３０を示している。
【００２６】
固定弁体１７上面の摺動平面に対して垂直な第一平面上でレバーハンドル７が下方回動した状態にあるときに、当該レバーハンドル７を、固定弁体１７上面の摺動平面に対して平行な第二平面上で、左右回動させた場合、図６（ａ）〜（ｃ）に示すように、固定弁体１７の混合水流出孔２４と可動弁体６の開口部５との連通は維持されるが、固定弁体１７の水流入弁孔２２及び湯流入弁孔２３は可動弁体６によって閉塞された状態に保たれるため、吐水口３（図１参照）から湯水が吐出することはない。即ち、レバーハンドル７が下方回動した状態であれば、図２に示す右位置Ｒから左位置Ｌの範囲内でレバーハンドル７を左右回動させても吐水口３（図１参照）から湯水が吐出することはない。
【００２７】
一方、図６（ｄ）は、固定弁体１７上面の摺動平面に対して垂直な第一平面上でレバーハンドル７が上方回動した状態で、固定弁体１７上面の摺動平面に対して平行な第二平面上で、左方回動した位置（左位置Ｌ）にあるときの開閉機構３０を示し、図６（ｅ）はレバーハンドル７が、固定弁体１７上面の摺動平面に対して垂直な第一平面上で上方回動した状態で正面位置Ｃにあるときの開閉機構３０を示し、図６（ｆ）はレバーハンドル７が、固定弁体１７上面の摺動平面に対して垂直な第一平面上で上方回動した状態で、固定弁体１７上面の摺動平面に対して平行な第二平面上で、右方位置（右位置Ｒ）にあるときを示している。
【００２８】
図６（ｄ）に示す状態では、湯流入弁孔２３と開口部５とが重合する開口重合部２５により湯流入弁孔２３と混合水流出孔２４とが連通するので、吐水口３（図１参照）から湯が吐出する。図６（ｅ）に示す状態では、水流入弁孔２２と開口部５とが重合する開口重合部２５により水流入弁孔２２と混合水流出弁孔２４とが連通するので、吐水口３から水のみが吐出する。図６（ｆ）に示す状態では、水流入弁孔２２と開口部５とが重合する開口重合部２５により水流入弁孔２２と混合水流出弁孔２４とが連通するので、吐水口３から水のみが吐出する。  
【００２９】
なお、第一平面上での、レバーハンドルの回動は、図６（ａ）と図６（ｄ）、図６（ｂ）と図６（ｅ）、図６（ｃ）と図６（ｆ）の関係における回動であり、第一平面は、図１７に示す１０１である。また、第二平面上でのレバーハンドルの回動は、図６（ａ）と図６（ｂ）と図６（ｃ）、図６（ｄ）と図６（ｅ）と図６（ｆ）の関係における回動であり、第二平面は、図１７に示す１０２である。
【００３０】
このように、図１に示す湯水混合栓１において、正面位置Ｃ（図２参照）にあるレバーハンドル７を、固定弁体１７上面の摺動平面に対して垂直な第一平面上で回動させる、つまり開放操作した場合、開閉機構３０は、図６（ｂ）の閉止状態から図６（ｅ）の開放状態へ変化するが、湯流入弁孔２３は閉塞されたまま、水流入弁孔２２と開口部５と混合水流出孔２４とが重合するので、吐水口３からは水のみが吐出される。従って、正面位置Ｃにあるレバーハンドル７を使用者がそのまま無意識に開放操作するようなことがあっても、湯が混入することなく、吐水口３から水のみが吐出されるため、湯の無駄使いを防止することができる。なお、開口部５の形状は限定しないので、開閉機構３０が図６（ｅ）の状態にあるとき、混合水流出孔２４が開口部５を介して水流入弁孔２２のみに連通する形状であればよい。
【００３１】
また、開閉弁ユニット９を構成する部材は、図４に示すように、可動弁体６を除いて、図１０に示す従来の開閉弁ユニット８０と同じである。従って、固定弁体１７に左右対称に形成された湯流入弁孔２３、水流入弁孔２２の位置関係を変更することなく、可動弁体６に形成された開口部５の位置や開口形状を調整することにより、レバーハンドル７が正面に来る位置（レバーハンドルの左右回動範囲の中心位置）にて当該レバーハンドル７を上下回動することで、湯流入弁孔２３を閉塞したまま、水流入弁孔２２のみを開閉させることができる。
【００３２】
一方、固定弁体１７に形成された湯流入弁孔２３、水流入弁孔２２は左右対称をなしているので、固定弁体１７の２つの流入弁孔（湯流入弁孔２３、水流入弁孔２２）の開口比率の違いに起因する水圧差の影響によって可動弁体１７が傾いて止水性が損なわれたり、偏荷重が加わった状態での繰返し摺動により可動弁体１７の動きが悪くなったり、耐久性が損なわれたりすることもない。
【００３３】
さらに、湯流入弁孔２３及び水流入弁孔２２は固定弁体１７に左右対称に形成されていることにより、これらの流入弁孔（湯流入弁孔２３、水流入弁孔２２）の開口比率を変えたときに必要となる、固定弁体１７以下の部材（パッキン１８、底蓋２０、水栓本体３１など）の設計変更も不要である。従って、図１０に示すように、従来の開閉弁ユニット８０を構成する可動弁体１６を可動弁体６に取り替えることにより、湯水混合栓１と同じ機能、効果を得ることもできる。また開閉弁ユニットを交換することで、既設の水栓も湯水混合栓と同じ機能、効果を得ることができる。
【００３４】
一方、固定弁体６に形成された開口部５は、固定弁体１７上面の摺動平面に対して平行な第二平面上で、第二平面上でのレバーハンドル７の回動により、図６（ｅ）に示す状態から、図６（ｄ）に示す状態へ回動に伴い湯水の温度が上昇する方向（図６では時計周り方向）を、第一回動方向とし、図６（ｅ）に示す状態から、図６（ｆ）に示す状態への回動に伴い前記湯水の温度が下降する方向（図６で反時計周り方向）を、図１６に示す第二回動方向とし、レバーハンドル７の前述の第一回動方向への回動に伴い、固定弁体１７の水流入弁孔２２、湯流入孔２３と、可動弁体６の開口部５とが重合する開口重合部２５を第一平面が通過する方向を第一方向２０２とし、レバーハンドル７の前述の第二回動方向への回動に伴い、開口重合部２５を第一平面が通過する方向を第二方向２０１とした時、湯流入弁孔と水流入弁孔と重なりうる開口面積２６は、可動弁体６と固定弁体１７とが摺動しあう固定弁体１７上面の摺動平面に対して垂直な第一平面（図１７参照）に対して、前述の第一方向側より第二方向側の方が大きく形成されている。
【００３５】
なお、図１６（ａ）は、図６（ｅ）、図１６（ｂ）は、図６（ｆ）と同様の図であり、図１６に示すように、開口重合部２５とは、湯流入弁孔と水流入弁孔とが、レーバハンドルを全回動範囲で回動した時に、開口部と重合する範囲を示している。また、開口面積２６は、図１６に示すように、レバーハンドルを全回動範囲で回動した時に、湯流入弁孔又は水流入弁孔と開口部５が重なりうる面積を示している。
【００３６】
前述の開口部５の形状により、レバーハンドル７が、正面位置に係らず、レーバハンドルの左右回動範囲のいずれかの位置において、使用者が無意識に開放操作した時に、湯が混入され吐出される確率が小さく、水のみが吐出される確率が大きくなるため、使用者が意図しない湯の無駄使いを防止できる湯水混合水栓とすることができる。
【００３７】
次に、本発明の参考例に係る第二、第四実施形態、及び、本発明の一実施形態である第三実施形態について、図１３〜図１５に基づいて、説明する。なお、前述の本発明の参考例に係る第一実施形態と共通する部分については、適宜説明を省略する。
【００３８】
第二実施形態について、図１３に基づいて説明する。第二実施形態が、第一実施形態と異なる点は、固定弁体１７に形成された湯流入弁孔２３、水流入弁孔２２の形状が第一実施形態の形状とは異なる点だけであり、レバーハンドルの第二回動方向への回動に伴い、開口重合部を第一平面が通過する方向を第二方向とした時の、湯流入弁孔と水流入弁孔と重なりうる開口面積の関係など、その他の構成や関係については、第一実施形態と同じである。
【００３９】
第二実施形態の固定弁体１７の湯流入弁孔２３、水流入孔２２は、固定弁体１７上面の摺動平面上において同じ面積であり、半月状部２７に突起部２８が形成されたような形状となっている。そのため、第二実施形態での湯流入孔２３と水流入孔２２の中間位置は、図１３（ｂ）、図１３（ｅ）にある状態である。
【００４０】
図１３（ｂ）の状態では、図６（ｂ）の状態と同じく、開口部５は湯流入弁孔２３と水流入弁孔２２とのいずれとも重合しておらず、湯流入弁孔２３と水流入弁孔２２はいずれも閉塞されている。このため吐水口３（図１参照）から湯水が吐水されることはない。
【００４１】
この状態からレバーハンドル７が上方回動すると、図１３（ｅ）の状態となる。この状態において開口部５は、一部を水流入弁孔２２と重合しており、湯流入弁孔２３とは重合されていない。このため吐水口３からは、水流入弁孔２２から流入した水のみが開口部５を通り吐出され、湯流入弁孔２３からの湯が吐出されることはない。
【００４２】
このように、第二実施形態においても、第一実施形態と同様に、正面位置Ｃにあるレバーハンドル７を使用者がそのまま無意識に開放操作するようなことがあっても、湯が混入することなく、吐水口３から水のみが吐出されるため、湯の無駄使いを防止することができる。
【００４３】
また、第一実施形態と同様に、固定弁体１７にほぼ左右対称に形成された湯流入弁孔２３、水流入弁孔２２の位置関係を変更することなく、可動弁体６に形成された開口部５の位置や開口形状を調整することにより、レバーハンドル７が正面に来る位置（レバーハンドルの左右回動範囲の中心位置）にて当該レバーハンドル７を上下回動することで、湯流入弁孔２３を閉塞したまま、水流入弁孔２２のみを開閉させることができる。
【００４４】
一方、固定弁体１７に形成された湯流入弁孔２３、水流入弁孔２２はほぼ左右対称をなしているので、固定弁体１７の２つの流入弁孔（湯流入弁孔２３、水流入弁孔２２）の開口比率の違いに起因する水圧差の影響によって可動弁体１７が傾いて止水性が損なわれたり、偏荷重が加わった状態での繰返し摺動により可動弁体１７の動きが悪くなったり、耐久性が損なわれたりすることもない。
【００４５】
さらに、湯流入弁孔２３及び水流入弁孔２２は固定弁体１７にほぼ左右対称に形成されていることにより、これらの流入弁孔（湯流入弁孔２３、水流入弁孔２２）の開口比率を変えたときに必要となる、固定弁体１７以下の部材（パッキン１８、底蓋２０、水栓本体３１など）の設計変更も不要である。従って、図１０に示すように、従来の開閉弁ユニット８０を構成する可動弁体１６を可動弁体６に取り替えることにより、湯水混合栓１と同じ機能、効果を得ることもできる。
【００４６】
次に、本発明の一実施形態である第三実施形態について、図１４に基づいて説明する。本実施形態は、固定弁体１７の湯流入弁孔２３及び水流入弁孔２２の形状は、参考例に係る第一実施形態と同様であるが、湯流入弁孔２３及び水流入弁孔２２が形成された位置が参考例に係る第一実施形態と比べて異なる。詳細に説明すると、固定弁体１７上面の摺動平面に対して平行な第二平面上で、第二平面上でのレバーハンドル７の回動に伴い湯水の温度が上昇する方向を、第一回動方向とし、湯水の温度が下降する方向を、第二回動方向とした時に、湯流入弁孔２３及び水流入弁孔２２の中間位置は、図１４（ｂ）、（ｅ）のような、レバーハンドル７の第二平面上での回動範囲の中心位置より、第一回動方向側に形成されている。
【００４７】
そのため、本発明の一実施形態である第三実施形態では、レバーハンドル７が湯流入弁孔２３及び水流入弁孔２２の中間に位置する状態では、湯水混合水が吐水される状態となっている。しかし、図１４（ｅ）に示すように、可動弁体６に形成された開口部５の形状により、レバーハンドル７の第二平面上での回動範囲の中心位置（図の下方）においては、水流入孔２２のみが、開口部５と連通、つまり、水流入孔２２と開口重合部２５が重合している。
【００４８】
一方、本発明の一実施形態である第三実施形態の可動弁体６に形成された開口部５は、参考例に係る第一実施形態の開口部５と形状が同じである。参考例に係る第一実施形態での固定弁体について説明したように、固定弁体１７上面の摺動平面に対して平行な第二平面上で、第二平面上でのレバーハンドル７の回動に伴い湯水の温度が上昇する方向を、第一回動方向とし、湯水の温度が下降する方向を、第二回動方向とし、レバーハンドル７の第一回動方向への回動に伴い、固定弁体１７の水流入弁孔２２、湯流入孔２３と、可動弁体６の開口部５とが重合する開口重合部２５を第一平面が通過する方向を第一方向とし、レバーハンドル７の前述の第二回動方向への回動に伴い、開口重合部２５を第一平面が通過する方向を第二方向とした時、湯流入弁孔と水流入弁孔と重なりうる開口面積２６は、可動弁体６と固定弁体１７とが摺動しあう固定弁体１７上面の摺動平面に対して垂直な第一平面に対して、前述の第一方向側より第二方向側の方が大きく形成されている点については、参考例に係る第一実施形態と同様である。
【００４９】
そのため、本発明の一実施形態である第三実施形態の湯水混合水栓では、レバーハンドル７が、正面位置に係らず、レバーハンドルの左右回動範囲のいずれかの位置において、使用者が無意識に開放操作した時に、湯が混入され吐出される確率が小さく、水のみが吐出される確率が大きくなるため、使用者が意図しない湯の無駄使いを防止できる湯水混合水栓とすることができる。
【００５０】
次に、第四実施形態について、図１５に基づいて説明する。第四実施形態は、固定弁体１７に形成された湯流入弁孔２３及び水流入弁孔２２の開口面積が異なり、左右対称になっていない点のみが、第三実施形態と異なり、他の構成については、第三実施形態と同様である。
【００５１】
そのため、第四実施形態では、第三実施形態と同様に、第一平面が湯流入弁孔２３と水流入弁孔２２との中間に位置する状態では、湯水混合水が吐水される状態となっている。しかし、第三実施形態と同様に、図１５（ｅ）に示すように、レバーハンドル７の第二平面上での回動範囲の中心位置（図の下方）においては、水流入孔２２のみが、開口部５と連通、つまり、水流入孔２２と開口部５が重合している。
【００５２】
また、第四実施形態の固定弁体６の開口部５は、固定弁体１７上面の摺動平面に対して平行な第二平面上で、第二平面上でのレバーハンドル７の回動に伴い湯水の温度が上昇する方向を、第一回動方向とし、湯水の温度が下降する方向を、第二回動方向とし、レバーハンドル７の第一回動方向への回動に伴い、固定弁体１７の水流入弁孔２２、湯流入孔２３と、可動弁体６の開口部５とが重合する開口重合部２５を第一平面が通過する方向を第一方向とし、レバーハンドル７の前述の第二回動方向への回動に伴い、開口重合部２５を第一平面が通過する方向を第二方向とした時、開口部５の湯流入弁孔と水流入弁孔と重なりうる開口面積２６は、可動弁体６と固定弁体１７とが摺動しあう固定弁体１７上面の摺動平面に対して垂直な第一平面に対して、前述の第一方向側より第二方向側の方が大きく形成されている点については、第一〜第三実施形態と同様である。
【００５３】
そのため、第四実施形態の湯水混合水栓においても、レバーハンドル７が、正面位置に係らず、レーバハンドルの左右回動範囲のいずれかの位置において、使用者が無意識に開放操作した時に、湯が混入され吐出される確率が小さく、水のみが吐出される確率が大きくなるため、使用者が意図しない湯の無駄使いを防止できる湯水混合水栓とすることができる。
【００５４】
なお、本実施形態では、開閉弁ユニットとして固定弁体が混合水流出孔を備えたタイプを例示して説明したが、これに限定されるものではなく、可動弁体の開口部の空間を通過した湯水が通過する混合水流出通路を、固定弁体の外側に備えたタイプのものでも適用することができる。
【産業上の利用可能性】
【００５５】
本発明の湯水混合栓は、キッチンの流し台、浴室あるいは洗面台などに配置される給水給湯機材として一般住宅や飲食店の厨房などにおいて広く利用することができる。
【符号の説明】
【００５６】
１  湯水混合栓
２  吐水管
３  吐水口
４  給水管
５  開口部
６  可動弁体
７  レバーハンドル
８  本体部
９  開閉弁ユニット
１０  スペーサ
１１  ハウジング
１２，１８，２１  パッキン
１３  操作レバー
１４  レバーガイド
１５  支持部材
１７  固定弁体
１９  Ｏリング
２０  底蓋
３０  開閉機構
３１  水栓本体
２２  水流入弁孔
２３  湯流入弁孔
２４  混合水流出孔
２５  開口重合部
２６  開口面積
２７  半月状部
２８  突起部
１０１  第一平面
１０２  第二平面
２０１  第二方向
２０２  第一方向
【図１】
2015061986.tif 000003
【図２】
2015061986.tif 000004
【図３】
2015061986.tif 000005
【図４】
2015061986.tif 000006
【図５】
2015061986.tif 000007
【図６】
2015061986.tif 000008
【図７】
2015061986.tif 000009
【図８】
2015061986.tif 000010
【図９】
2015061986.tif 000011
【図１０】
2015061986.tif 000012
【図１１】
2015061986.tif 000013
【図１２】
2015061986.tif 000014
【図１３】
2015061986.tif 000015
【図１４】
2015061986.tif 000016
【図１５】
2015061986.tif 000017
【図１６】
2015061986.tif 000018
【図１７】
2015061986.tif 000019